(57)【特許請求の範囲】
【請求項１】
ねじ止めすることなく、支柱に棚板を取り付けるようにした組立棚であって、
棚板を、棚板本体と、少なくともその一辺の両端部にＬ字型のアングル部材により一体に設けられてなる延長部材からなるものとし、
この延長部材のみによって、又はこの延長部材と棚板本体とによって、鉛直方向寸法が棚板本体の厚み寸法よりも大きい取付部を形成し、
この取付部を利用して支柱を棚板に取り付けることにより、支柱と支柱とが棚板によって連結されるように構成し、
支柱を、奥行き方向に平行な板材と左右方向に平行な板材とからなる断面視概略Ｌ字型のアングル部材で構成し、前記各板材の内面にそれぞれ第１取付面及び第２取付面を形成するとともに、
取付部を、第１被取付面と、第２被取付面とを具備するものとし、
対応する支柱及び取付部における第１取付面と第１被取付面との間に第１係合い部を、前記支柱及び取付部における第２取付面と第２被取付面との間に第２係合い部をそれぞれ設け、
前記第１取付面と前記第１被取付面とを密着させ前記第２取付面と前記第２被取付面とを離間させた第１係合い開始位置から、水平方向にスライドさせて前記第２取付面と前記第２被取付面とを密着させ前記第１係合い部のみを係合い状態にした第２係合い開始位置に移動させ、この第２係合い開始位置から鉛直下方にスライドさせて前記第２係合い部をも係合い状態にした係合い完了位置に位置させることにより棚板の取付を行うようにしていることを特徴とする組立棚。
【請求項２】
取付部と支柱との間に、上下に配置した２以上の係合い部を設け、これら係合い部によって、支柱を取付部に係合わせて取り付けるようにしている請求項１記載の組立棚。
【請求項３】
棚板本体の四隅に取付部をそれぞれ設け、各取付部の外側からそれぞれ支柱を取り付けるようにしている請求項１又は２記載の組立棚。
【請求項４】
少なくとも最上段及び最下段に配置する棚板を、取付部を具備するものとしている請求項３記載の組立棚。
【請求項５】
支柱を、奥行き方向に平行な板材と左右方向に平行な板材とからなる断面概略Ｌ字型のアングル部材で構成し、前記各板材の内面にそれぞれ第１取付面及び第２取付面を形成するとともに、
取付部を、奥行き方向に沿って外側を向く第１被取付面と、左右方向に沿って外側を向く第２被取付面とを具備するものとし、
対応する支柱及び取付部における第１取付面と第１被取付面との間、及び、第２取付面と第２被取付面との間にそれぞれ係合い部を設けている請求項３又は４記載の組立棚。
【請求項６】
棚板本体の隅部から断面概略Ｌ字型の延長部材を一体に垂下又は起立させ、この延長部材の側面を棚板本体の隅部側面と面一になるように構成してこれらを第１被取付面とするとともに、該延長部材の前面又は後面を、棚板本体の隅部前面又は隅部後面と面一になるように構成してこれらを第２被取付面としている請求項５記載の組立棚。
【発明の詳細な説明】
【０００１】
【発明の属する技術分野】
本発明は、ねじを用いることなく、組み立てることの可能な組立棚に関する。
【０００２】
【従来の技術】
従来のこの種の組立棚は、Ｌ字型アングル材からなる４本の支柱の上端部同士及び下端部同士を、ブレースやビームと称される横架材により連結して自立性のある構造体を形成し、この構造体に棚板を支持させるようにしている。
ここでブレースとは、奥行き方向に横架されて支柱同士を連結するものであり、ビームとは左右方向に横架されて支柱同士を連結するものである。これらはそれぞれ、支柱間に跨る本体と、その両端部からそれぞれ一体に垂下させてなる垂下部とを具備し、概略下向きコの字型をなす。
【０００３】
そして、支柱の内面と垂下部とを、少なくとも上下２箇所以上に設けた係合い部を利用して係合せることにより、互いに連結するようにしている。
しかして、このようなブレースやビームを用いるのは、ねじを用いないで組み立てられるようにしたものであるため、鉛直方向にある程度の長さを有した垂下部を支柱に係合わせることによって、支柱同士をブレース等を介して強固に連結し、支柱を自立させて堅牢な構造体を構成するためである。一方、鉛直方向に厚み分の長さしかない棚板によって支柱同士を連結したのでは、ねじを使わない構造であることから強く固定できず、不安定なものになると考えられる。
【０００４】
【発明が解決しようとする課題】
ところが、このようなブレースやビームは、部品点数の増大を招き、組立性あるいは解体性の低下を生じるうえ、コスト的にも不利なものとなる。
【０００５】
【課題を解決するための手段】
本発明は、このような不具合に鑑み、ねじを使わずに組み立てることが可能な組立棚において、棚板にブレースやビームの役割を兼備させることにより、部品点数の削減や組立の簡単化、あるいはコストダウンを実現すべく図ったものである。
【０００６】
【発明の実施の形態】
すなわち、本発明にかかる組立棚は、ねじ止めすることなく、支柱に棚板を取り付けるようにした組立棚であって、
棚板を、棚板本体と、少なくともその一辺の両端部にＬ字型のアングル部材により一体に設けられてなる延長部材からなるものとし、この延長部材のみによって、又はこの延長部材と棚板本体とによって、鉛直方向寸法が棚板本体の厚み寸法よりも大きい取付部を形成し、この取付部を利用して支柱を棚板に取り付けることにより、支柱と支柱とが棚板によって連結されるように構成し、支柱を、奥行き方向に平行な板材と左右方向に平行な板材とからなる断面視概略Ｌ字型のアングル部材で構成し、前記各板材の内面にそれぞれ第１取付面及び第２取付面を形成するとともに、取付部を、第１被取付面と、第２被取付面とを具備するものとし、対応する支柱及び取付部における第１取付面と第１被取付面との間に第１係合い部を、前記支柱及び取付部における第２取付面と第２被取付面との間に第２係合い部をそれぞれ設け、前記第１取付面と前記第１被取付面とを密着させ前記第２取付面と前記第２被取付面とを離間させた第１係合い開始位置から、水平方向にスライドさせて前記第２取付面と前記第２被取付面とを密着させ前記第１係合い部のみを係合い状態にした第２係合い開始位置に移動させ、この第２係合い開始位置から鉛直下方にスライドさせて前記第２係合い部をも係合い状態にした係合い完了位置に位置させることにより棚板の取付を行うようにしていることを特徴とする。
【０００７】
このようなものであれば、取付部に十分な鉛直方向寸法を与えることで、支柱と棚板とを、係合い等の取付簡単な手段を用いて強固に固定することが可能になる。したがって、従来のこの種の組立棚において必要であったブレース又はビームの役割を、棚板に兼備させることができるようになり、部品点数の削減を図ることができるようになる。また、これに伴って組立や解体に係る作業の、より一層の簡単化を図ることが可能になる。
【０００８】
特に起立した支柱のぐらつきに対して有効な具体的実施態様としては、取付部と支柱との間に、上下に配置した２以上の係合い部を設け、これら係合い部によって、支柱を取付部に係合わせて取り付けるようにしているものが挙げられる。棚板と支柱のみの結合によって、支柱をがたなく堅牢に自立させるには、棚板本体の四隅に取付部をそれぞれ設け、各取付部の外側からそれぞれ支柱を取り付けるようにしているものが好ましい。この場合には、少なくとも最上段及び最下段に配置する棚板を、取付部を具備するものとしておくことが極めて有効である１つの取付部に、ブレースとビームの役割を担わせ、構造を簡単化するとともに、棚板の重量増加を無理なく抑えるには、支柱を、奥行き方向に平行な板材と左右方向に平行な板材とからなり、内側に向かって開くように配置した断面概略Ｌ字型のアングル部材で構成し、前記各板材の内面にそれぞれ第１取付面及び第２取付面を形成するとともに、取付部を、奥行き方向に沿って外側を向く第１被取付面と、左右方向に沿って外側を向く第２被取付面とを具備するものとし、対応する支柱及び取付部における第１取付面と第１被取付面との間、及び、第２取付面と第２被取付面との間にそれぞれ係合い部を設けておくことが望ましい。
【０００９】
棚板本体をも有効に利用して、取付部の鉛直方向の長さを可及的に大きくするには、棚板本体の隅部から断面概略Ｌ字型の延長部材を一体に垂下又は起立させ、この延長部材の側面を棚板本体の隅部側面と面一になるように構成してこれらを第１被取付面とするとともに、該延長部材の前面又は後面を、棚板本体の隅部前面又は隅部後面と面一になるように構成してこれらを第２被取付面としているものが好適である。
【００１０】
【実施例】
以下、本発明の一実施例を、図面を参照して説明する。
本実施例に係る組立棚は、図１に示すように、４本の支柱１と、各支柱１に隅部を連結されて上下に並ぶ複数の棚板２、２Ａとを具備するものであり、ねじを用いることなく、支柱１に棚板２、２Ａを取り付けることが可能なノンボルトシェルビングと称されるものである。
【００１１】
支柱１は、図２等に示すように、Ｌ字型アングル材からなるものであり、互いに直交する一対の板材１１、１２のうち、一方の板材１１を奥行き方向と平行に、また他方の板材１２を左右方向と平行にして、内側に向かって開くように配置してある。各板材１１、１２は、上下に延びる折り目が付くように屈曲させてあり、その外面中央に、上下に亘って浅い溝状の凹陥部１３、１４が形成されるように構成してある。ここで一方の板材１１の内面が第１取付面１ａを形成し、他方の板材１１の内面が第２取付面１ｂを形成する。
【００１２】
しかして本実施例では、図３等に示すように、最上段及び最下段に配置する棚板２を、矩形板状の棚板本体３と、この棚板本体３の四隅からそれぞれ垂下させた所定長さの４本の延長部材７とからなるものとしている。棚板本体３は、例えば下方に開口する中空板金製のものであり、内部に図示しない桟が架け渡されて、所定の強度を発揮するようにしてある。延長部材７は、棚板本体３の隅部に例えば溶接により一体に取り付けたＬ字型アングル材であり、この延長部材７の側面７ａと棚板本体３の隅部側面３ａとが面一になるようにし、この延長部材７の前面７ｂ（又は後面）と、棚板本体３の隅部前面３ｂ（又は隅部後面）とが面一になるようにしてある。ここで、延長部材７と棚板本体３の隅部とが取付部４を構成することとなる。また、延長部材７の側面７ａと棚板本体３の隅部側面３ａとが第１被取付面４ａを構成し、延長部材７の前面７ｂ（又は後面）と棚板本体３の隅部前面３ｂ（又は隅部後面）とが第２被取付面４ｂを構成する。
【００１３】
さらに本実施例では、第１取付面１ａと第１被取付面４ａとの間に離間して上下に並ぶ一対の第１係合い部５を形成するとともに、第２取付面１ｂと第２被取付面４ｂとの間に離間して上下に並ぶ一対の第２係合い部６を設けている。しかして上に位置する第１係合い部５と第２係り合い部６との上下離間距離が、下に位置する第１係合い部５と第２係り合い部６との上下離間距離と等しくなるように設定してある。なお、以下では前方に配置した支柱１に関係する部分を対象に説明することとし、後方に配置した支柱１に関係する部分は、これと前後関係が逆となるだけであるため、その説明を省略する。
【００１４】
第１係合い部５は、図１〜図３、図６等に示すように、第１被取付面４ａから突出させた突出部５１と、第１取付面１ａに設けた凹部５２とを具備するものである。突出部５１は、円柱状の首部５１１と、この首部５１１より大径であってその先端に設けられた円盤状の頭部５１２とからなるものである。首部５１１の長さは板材１１、１２の厚みと同一又は若干大きくなるように設定してある。凹部５２は、凹陥部１３内において一方の板材１１を厚み方向に貫通するように設けられたものであって、前記頭部５１２を挿入し得る大きさを有した挿入孔５２１と、前記首部５１１のみを挿入し得る幅を有しこの挿入孔５２１から連続して水平前方に延びる第１貫通溝５２２と、この第１貫通溝５２２と同じ幅を有し前記第１貫通溝５２２の前端から連続して鉛直下方に延びる第２貫通溝５２３とからなる。なお、本実施例では上下に設けた一対の第１係り合い部５を構成する突出部５１のいずれもが、第１被取付面４ａのうち延長部材７の側面７ａから突出するように設定してある。
【００１５】
第２係合い部６は、図１〜図３、図７等に示すように、第２被取付面４ｂから突出させた取付爪部６１と、他方の板材１２に設けた孔部６２とからなる。取付爪部６１は、第２被取付面４ｂから板材１２の略厚み分離間させて配置した矩形状の爪本体６１１と、この爪本体６１１の上下端をそれぞれ第２被取付面４ｂに連結する一対の連結体６１２、６１３とを一体に具備する。これら連結体６１２、６１３は爪本体６１１よりも幅狭で、下側の連結体６１２は、爪本体６１１の下端から下後方に向かって斜めに延びるものである。そして下方に向かうにつれその幅が狭くなるようにその両側縁６１２ａにテーパ部を設けてなる。孔部６２は、爪本体６１１を挿入させ得る大きさの矩形貫通孔６２１と、この矩形貫通孔６２１から下方に向かって連続して延びるテーパ孔６２２とからなる。このテーパ孔６２２は、爪本体６１１よりも幅狭のものであり、その各側縁６２２ａには、連結体６１２の各側縁６１２ａとテーパ作用により係合うことの可能なテーパ部を設けてなる。なお、本実施例では上下に設けた一対の第２係り合い部６を構成する取付爪部６１が、それぞれ延長部材７の前面７ｂと棚板本体３の前面３ｂとから突出するように設定してある。
【００１６】
このような構成の組立棚を組み立てる手順の一例について説明する。
最初は最下段に配置する棚板２を、４本の支柱１の下端部に取り付ける。まず、棚板２を１本の支柱１に対して、その隅部を側方から接近させ、棚板２に設けられた突出部５１の頭部５１２を、支柱１の一方の板材１１に設けられた凹部５２に嵌め入れて第１取付面１ａと第１被取付面４ａとを密着させる。この図４、図８（実線で示す）に示す第１係合い開始位置Ｐ１においては、第２取付面１ｂと第２被取付面４ｂとは離間しており、第２係合い部６を構成する孔部６２と取付爪部６１とは、同じ高さ位置にあって非係合い状態となっている。
【００１７】
次に、突出部５１の首部５１１を第１貫通溝５２２に沿わせてその端部に至るまで第１方向Ｄ１たる水平前方にスライドさせ、図５、図８（想像線で示す）に示す第２係合い開始位置Ｐ２に位置させる。この第２係合い開始位置Ｐ２においては、第２取付面１ｂと第２被取付面４ｂとが密着し、孔部６２を構成する矩形貫通孔６２１に、取付爪部６１を構成する爪本体６１１が嵌まり込んだ状態となっている。この時点では、第１係合い部５は係合い状態であるが、第２係合い部６は、完全に係合っていない。
【００１８】
続いて、突出部５１の首部５１１を第２貫通溝５２３に沿わせて鉛直下方にスライドさせ、図６、図７に示す係合い完了位置Ｐ３に位置させる。このことにより、爪本体６１１の裏面がテーパ孔６２２の周囲表面に係合うとともに、連結体６１２とテーパ孔６２２とがテーパ結合し、第２係合い部６も係合い状態となる。
【００１９】
このように棚板２を支柱１に対して、異なる２方向、すなわち水平方向及び鉛直方向にシーケンシャル的にスライド移動させ、支柱１を構成するＬ字型アングルの直交する取付面１ａ、１ｂのそれぞれが、棚板２の隅部の直交する被取付面４ａ、４ｂに、第１、第２係合い部５、６を介して連結されるようにしている。以下同様にして、棚板２の各隅部に支柱１を次々取り付け、最下段に配置する棚板２と４本の支柱１との取り付けを完了した後、支柱１の上端部に最上段に配置する棚板２を取り付ける。なお、組立はこの手順に限るものではない。
【００２０】
このようにして、４本の支柱１と上下棚板２とが強く連結され、自立性ある堅牢な構造体が完成する。その後、中間棚板２Ａを支柱１に取り付ける。なお、この取付は既存のもの同様、支柱１の他方の板材１２に設けたフック孔１５に、棚板２に設けたフック爪（図示しない）を引掛けて行うようにしている。
したがって、本実施例によれば、ねじ止め不要のこの種の組立棚において、従来必要であったブレース又はビームの役割を棚板２に担わせ、棚板２と支柱１とを直接的に強固に連結することができるようにしたので、前記ブレースやビームが不要となり、部品の削減と、組立・解体作業の一層の容易化を図ることができる。
【００２１】
なお、本発明は上記実施例に限られるものではない。例えば、背の高いものであれば、中間の棚板にも取付部を具備させることが有効である。また、第１、第２係合い部の構成に関して言えば、種々の変形が考えられる。例えば、上記実施例において支柱は２種類が必要であるが、第１及び第２係合い部を構成する凹部及び孔部を、上下に対称形状をなすものとすれば、１種類の支柱のみで組立棚を構成することができる。さらに、突出部、取付爪部を支柱に設け、凹部、孔部を棚板に設ける構成としても構わない。
【００２２】
その他各部の具体的な構成は、上述した実施例に限定されるものではなく、本発明の趣旨を逸脱しない範囲で種々変形が可能である。
【００２３】
【発明の効果】
以上に詳述した本発明によれば、取付部に十分な鉛直方向寸法を与えることで、支柱と棚板とを、係合い等の取付簡単な手段を用いて強固に固定することが可能になる。したがって、従来のこの種の組立棚において必要であったブレース又はビームの役割を、棚板に兼備させることができるようになり、部品点数の削減を図ることができる。また、これに伴って組立や解体に係る作業の簡単化を図ることも可能になる。具体的には、取付部と支柱との間に、上下に配置した２以上の係合い部を設け、これら係合い部によって、支柱を取付部に係合わせて取り付けるようにしているものが好ましく、このような構成によって、支柱のぐらつきを有効に防止することができる。
【００２４】
棚板本体の四隅に取付部をそれぞれ設け、各取付部の外側からそれぞれ支柱を取り付けるようにしているものであれば、棚板と支柱のみの結合によって、堅牢でがたなく自立させることが可能になる。この場合には、少なくとも最上段及び最下段に配置する棚板を、取付部を具備するものとしておくことが極めて有効となる。
【００２５】
支柱を、直交する１対の板材からなる断面概略Ｌ字型のアングル部材で構成し、前記各板材の内面にそれぞれ第１取付面及び第２取付面を形成するとともに、取付部を、奥行き方向に沿って外側を向く第１被取付面と、左右方向に沿って外側を向く第２被取付面とを具備するものとし、対応する支柱及び取付部における第１取付面と第１被取付面との間、及び、第２取付面と第２被取付面との間にそれぞれ係合い部を設けているものであれば、１つの取付部に、ブレースとビームの役割を担わせ、構造を簡単化することができる。
【００２６】
棚板本体の隅部から断面概略Ｌ字型の延長部材を一体に垂下又は起立させ、この延長部材の側面を棚板本体の隅部側面と面一になるように構成してこれらを第１被取付面とするとともに、該延長部材の前面又は後面を、棚板本体の隅部前面又は隅部後面と面一になるように構成してこれらを第２被取付面としているものであれば、棚板本体をも有効に利用して、取付部の鉛直方向の長さを可及的に大きくすることができる。
【図面の簡単な説明】
【図１】本発明の一実施例における組立棚を示す全体斜視図。
【図２】同実施例における支柱を示す部分拡大斜視図。
【図３】同実施例における棚板を示す下方から見た部分拡大斜視図。
【図４】同実施例における組立手順を示す部分側面図。
【図５】同実施例における組立手順を示す部分側面図。
【図６】同実施例における組立完了状態を示す部分側面図。
【図７】同実施例における組立完了状態を示す部分正面図。
【図８】同実施例における組立手順を示す部分平断面図。
【符号の説明】
１…支柱
１１…奥行き方向に平行な板材
１２…左右方向に平行な板材
１ａ…第１取付面
１ｂ…第２取付面
２…棚板
３…棚板本体
３ａ…棚板本体の隅部側面
３ｂ…棚板本体の隅部前面
４…取付部
４ａ…第１被取付面
４ｂ…第２被取付面
５…第１係合い部
６…第２係合い部
７…延長部材
７ａ…延長部材の側面
７ｂ…延長部材の前面
【図１】
0003613100.tif 000002
【図２】
0003613100.tif 000003
【図３】
0003613100.tif 000004
【図４】
0003613100.tif 000005
【図５】
0003613100.tif 000006
【図６】
0003613100.tif 000007
【図７】
0003613100.tif 000008
【図８】
0003613100.tif 000009